(57)【要約】【課題】防火性を備えつつも止水性および意匠性に優れたシャッターを提供する。【解決手段】室内外を仕切るシャッターカーテンを巻き付けた巻付軸が回動自在に支持されたシャッター本体と、前記シャッター本体の前記巻付軸の軸方向における両端をそれぞれ支持して躯体に固定されアルミニウムよりも融点が高い金属でなる一対の支持部材と、を有し、前記一対の支持部材は各々、前記シャッター本体側に設けられ、固定具が貫通して前記躯体に固定される固定部を有し、前記固定部は、前記軸方向において前記巻付軸の中央側の部位が端部側の部位より室内側に位置するように傾斜している。【選択図】図５
2015190141.tif 000002
【特許請求の範囲】
【請求項１】
室内外を仕切るシャッターカーテンを巻き付けた巻付軸が回動自在に支持されたシャッター本体と、
前記シャッター本体の前記巻付軸の軸方向における両端をそれぞれ支持して躯体に固定されアルミニウムよりも融点が高い金属でなる一対の支持部材と、
を有し、
前記一対の支持部材は各々、前記シャッター本体側に設けられ、固定具が貫通して前記躯体に固定される固定部を有し、
前記固定部は、前記軸方向において前記巻付軸の中央側の部位が端部側の部位より室内側に位置するように傾斜していることを特徴とするシャッター。
【請求項２】
請求項１に記載のシャッターであって、
前記支持部材は、前記シャッター本体が固定される本体部材と、前記本体部材に取り付けられて前記固定部をなす固定部材と、を有していることを特徴とするシャッター。
【請求項３】
請求項１に記載のシャッターであって、
前記支持部材は、前記シャッター本体が固定され見込み方向に沿う板状をなす支持部と、
前記支持部の室内側の縁から前記軸方向において前記巻付軸の中央側に延出された室内側延出部と、
を有し、
前記固定部は、前記支持部と前記室内側延出部との間を繋ぎ、前記傾斜をなして一体に設けられていることを特徴とするシャッター。
【請求項４】
請求項１乃至３のいずれかに記載のシャッターであって、
前記一対の支持部材の前記シャッター本体と反対側にそれぞれ設けられる一対のシャッター縦枠と、
前記一対のシャッター縦枠の上端部間に架け渡されたルーフ板と、
前記ルーフ板の下方に間隔を隔てて前記一対のシャッター縦枠間に架け渡されたシャッター上枠と、
前記一対のシャッター縦枠、前記ルーフ板、および、前記シャッター上枠が接合されて形成された空間の室内側開口を閉塞する不燃性または難燃性の板材と、
を有し、
前記板材は、前記支持部材に固定されていることを特徴とするシャッター。
【請求項５】
請求項４に記載のシャッターであって、
前記一対のシャッター縦枠、前記ルーフ板、および、前記シャッター上枠と、前記板材とは、互いの境界部分が防水テープにて止水されていることを特徴とするシャッター。
【請求項６】
請求項４または請求項５に記載のシャッターであって、
前記シャッター縦枠、前記ルーフ板、前記シャッター上枠、前記板材、及び、前記支持部材が、ユニット化されていることを特徴とするシャッター。
【発明の詳細な説明】
【技術分野】
【０００１】
本発明は、建物等に設けられるシャッターに関する。
【背景技術】
【０００２】
建物等に設けられるシャッターとしては、たとえば、サッシ枠の上部に取り付けられたシャッターボックス取付枠に、シャッター（シャッターカーテン）とその巻き取り軸が内蔵されたシャッターボックスを取り付け可能に構成したシャッターサッシが知られている（例えば、特許文献１参照）。
【０００３】
サッシ枠は、上下枠と左右の縦枠とにより方形状に枠組みされ、上下枠および左右の縦枠にそれぞれ設けられ、サッシ枠の外方に突出し躯体と対向する取付フィンが建物躯体の開口部構成部材（例えば柱）に固定されている。シャッターボックス取付枠は、サッシ枠の両縦枠の外側に固定されて上方に延出されたアルミニウム製のアタッチメントと、その上端を連結するシャッター上枠と、サッシ枠の上枠とによって方形状に枠組み形成されている。シャッターボックスは、アタッチメントにビス止めされたシャッターボックス用取付金具の上縁に、シャッターボックスの両側の側板に設けられた係合片を係合されて取り付けられている。
【先行技術文献】
【特許文献】
【０００４】
【特許文献１】特開２０００−１７９２５５号公報
【発明の概要】
【発明が解決しようとする課題】
【０００５】
上記シャッターのシャッターボックスがシャッターボックス用取付金具を介して取り付けられているアタッチメントは、アルミニウム製のなで、火災などにより加熱されると溶融しシャッターボックスが脱落する虞がある。このため、シャッターボックスは、建物躯体に取り付けることが望ましい。しかしながら、シャッターボックス取付枠より室内側に位置する躯体に、例えば室外側から見込み方向に進入するビスなどで固定する場合には、シャッターボックス取付枠に躯体と見込み方向において対面する取付部が必要となる。
【０００６】
この取付部をシャッターボックス取付枠の内側にて開口部構成部材（躯体）と対向するように配置すると、シャッターボックス取付枠が開口部構成部材に対して、より外側に配置されるので、シャッターボックス取付枠より内側に位置する開口部構成部材が露出して見映えが悪くなる。また、建物躯体の内側にシャッターボックス取付枠を取り付けるためだけに間柱等を設けると施工が煩雑になりコストが高くなる。また、取付部をシャッターボックス取付枠の外側に設けると、取付部がサッシ枠の取付フィンと枠体との間の一部に入り込むことにより、取付フィンが躯体と密着できず止水性が低下するため止水対策をしなければならないという課題がある。
【０００７】
本発明は、かかる課題に鑑みてなされたものであり、その目的とするところは、防火性を備えつつも止水性および意匠性に優れたシャッターを提供することにある。
【課題を解決するための手段】
【０００８】
かかる目的を達成するために本発明のシャッターは、室内外を仕切るシャッターカーテンを巻き付けた巻付軸が回動自在に支持されたシャッター本体と、前記シャッター本体の前記巻付軸の軸方向における両端をそれぞれ支持して躯体に固定されアルミニウムよりも融点が高い金属でなる一対の支持部材と、を有し、前記一対の支持部材は各々、前記シャッター本体側に設けられ、固定具が貫通して前記躯体に固定される固定部を有し、前記固定部は、前記軸方向において前記巻付軸の中央側の部位が端部側の部位より室内側に位置するように傾斜していることを特徴とするシャッターである。
【０００９】
このようなシャッターによれば、シャッター本体は、アルミニウムよりも融点が高い金属でなる一対の支持部材を介して躯体に固定されているので、シャッター本体がアルミニウム製の部材に固定されている場合より高い防火性を備えることが可能である。このとき、支持部材が固定されているのは躯体なので、支持部材を介してシャッター本体を、より確実に支持することが可能である。
【００１０】
また、支持部材は、巻付軸の軸方向において中央側の部位が端部側の部位より室内側に位置するように傾斜している固定部を貫通する固定具により躯体に固定されているので、固定部を躯体と対面するように設ける場合より見付け幅を小さくしつつも固定具により躯体の、より外周側にて固定することが可能である。このため、シャッターが設けられている開口の有効開口幅をより広く設けることが可能である。このとき、固定部はシャッター本体側に設けられているので、たとえ支持部材の外側に縦枠等が配置されたとしても、固定部とは干渉しない。このため、躯体との間に隙間が生じにくいので容易に且つより確実に止水することが可能である。このため、防火性を備えつつも止水性および意匠性に優れたシャッターを提供することが可能である。
【００１１】
かかるシャッターであって、前記支持部材は、前記シャッター本体が固定される本体部材と、前記本体部材に取り付けられて前記固定部をなす固定部材と、を有していることが望ましい。
【００１２】
このようなシャッターによれば、支持部材が本体部材と固定部をなす固定部材とで構成されているので、各々の部材を簡単な形状としつつも、巻付軸の軸方向において中央側の部位が端部側の部位より室内側に位置するように傾斜している固定部を設けることが可能である。このため、固定部が傾斜する支持部材を容易に製造することが可能である。
【００１３】
かかるシャッターであって、前記支持部材は、前記シャッター本体が固定され見込み方向に沿う板状をなす支持部と、前記支持部の室内側の縁から前記軸方向において前記巻付軸の中央側に延出された室内側延出部と、を有し、前記固定部は、前記支持部と前記室内側延出部との間を繋ぎ、前記傾斜をなして一体に設けられていることとしても良い。
【００１４】
このようなシャッターによれば、支持部材は、支持部及び当接部と繋がった固定部が傾斜をなすように一体に設けられているので、部品点数及び取り付け工数を抑えることが可能である。
【００１５】
かかるシャッターであって、前記一対の支持部材の前記シャッター本体と反対側にそれぞれ設けられる一対のシャッター縦枠と、前記一対のシャッター縦枠の上端部間に架け渡されたルーフ板と、前記ルーフ板の下方に間隔を隔てて前記一対のシャッター縦枠間に架け渡されたシャッター上枠と、前記一対のシャッター縦枠、前記ルーフ板、および、前記シャッター上枠が接合されて形成された空間の室内側開口を閉塞する不燃性または難燃性の板材と、を有し、前記板材は、前記支持部材に固定されていることが望ましい。
【００１６】
このようなシャッターによれば、一対のシャッター縦枠と、ルーフ板と、シャッター上枠とが接合されて形成された空間の室内側開口が不燃性または難燃性の板材にて閉塞されるので、シャッター本体が収容される空間内においても、躯体は室外側に露出されない。このため、より高い防火性を備えることが可能である。また、不燃性または難燃性の板材は、アルミニウムよりも融点が高い金属でなる一対の支持部材に固定されているので、火災等によりアルミニウムが溶けるような場合であっても、シャッター縦枠と、ルーフ板と、シャッター上枠とが接合されて形成された空間の室内側開口を閉塞しておくことが可能である。
【００１７】
かかるシャッターであって、前記一対のシャッター縦枠、前記ルーフ板、および、前記シャッター上枠と、前記板材とは、互いの境界部分が防水テープにて止水されていることが望ましい。
【００１８】
このようなシャッターによれば、シャッター縦枠、ルーフ板、および、シャッター上枠と、板材とは、互いの境界部分が防水テープにて止水されているので、高い止水性を備えることが可能である。
かかるシャッターであって、前記シャッター縦枠、前記ルーフ板、前記シャッター上枠、前記板材、及び、前記支持部材が、ユニット化されていることが望ましい。
【００１９】
このようなシャッターによれば、シャッター縦枠、ルーフ板、シャッター上枠、板材、及び、支持部材が、ユニット化されているので、シャッター縦枠、ルーフ板、シャッター上枠、板材、及び、支持部材を例えば工場等にて精度良く組み立てて現場に搬入することが可能である。このため、現場での作業が少なくなり短時間で施工できるとともに、より綺麗に仕上げることが可能である。
【発明の効果】
【００２０】
本発明によれば、防火性を備えつつも止水性および意匠性に優れたシャッターを提供することが可能である。
【図面の簡単な説明】
【００２１】
【図１】本実施形態に係るシャッターの縦断面図である。
【図２】本実施形態に係るシャッターの横断面図である。
【図３】本実施形態に係るシャッターの構成を示す斜視図である。
【図４】支持部材のシャッター縦枠への取り付けを示す斜視図である。
【図５】支持部材の躯体への取り付け状態を示す横断面図である。
【図６】シャッター縦枠へのシャッター上枠及びルーフ板の取り付けを示す斜視図である。
【図７】閉塞板の取り付けを示す斜視図である。
【図８】図８Ａは、防水テープの貼り付け方法を示す図であり、図８Ｂは、防水テープが貼り付けられたシャッター枠を示す斜視図である。
【図９】支持部材の変形例を示す斜視図である。
【発明を実施するための形態】
【００２２】
以下、本発明の一実施形態に係るシャッターについて図面を参照して説明する。
本実施形態のシャッター１は、図１、図２に示すように、建物に取り付けられた引き違い障子３を備えた建具２が有する矩形状に枠組みされた枠体４の、外壁より室外側に突出する部位の外周側を囲むように設けられている。
【００２３】
本実施形態のシャッター１は、図３に示すように、シャッター枠１０と、シャッター枠１０の上部に収容されるシャッター本体２０と、シャッター枠１０に収容されたシャッター本体２０の室外側に突出する部位の側部を覆うサイドキャップ２５と、シャッター枠１０に収容されたシャッター本体２０の室外側を覆いシャッター枠２０に固定される本体カバー２８と、シャッター枠１０が有するシャッター縦枠１１のシャッター本体２０より下側に固定されて昇降するシャッターカーテン２１のガイドをなすガイドレール２７とを有している。
【００２４】
以下の説明においては、シャッター１が建物等に取り付けられた状態を室外側から見たときに、上下となる方向を上下方向、左右となる方向を左右方向または幅方向、室内外方向である奥行き方向を見込み方向として示す。また、シャッター１が備える各部材は、単体の状態であっても建物等に取り付けられた状態にて上下方向、左右方向、奥行き方向となる方向にて方向を特定して説明する。
【００２５】
シャッター本体２０は、室内外を仕切るシャッターカーテン２１と、シャッターカーテン２１が巻き付けられた巻付軸２２（図１）と、鉄製の複数の部材にて形成されシャッターカーテン２１が巻き付けられた巻付軸２２を回動自在に支持して収容するケース２３とを有している。このとき巻付軸２２の軸方向が左右方向に沿って配置されている。
【００２６】
ケース２３に収容されたシャッターカーテン２１の上に位置するケース２３の上板部２３ａには、左右方向の両端部に、上方に突出されて、後述する支持部材３０の上取付部３１ｅ及び下取付部３１ｆに当接されて固定される上固定片２３ｂおよび下固定片２３ｃが設けられている。
【００２７】
シャッター枠１０は、建具２の枠体４が有する縦枠４ａの各々外側に配置され、当該縦枠４ａより上方まで延出されている左右一対のシャッター縦枠１１と、枠体４が有する上枠４ｂの上に配置され一対のシャッター縦枠１１間に架け渡されたシャッター上枠としてのシャッター上枠１２と、枠体４が有する下枠４ｃの下に配置され一対のシャッター縦枠１１間に架け渡されたシャッター下枠１３と、一対のシャッター縦枠１１の上端に架け渡されたルーフ板１４と、シャッター本体２０を支持する左右一対の支持部材３０と、左右のシャッター縦枠１１、シャッター上枠１２、ルーフ板１４により形成される空間の室内側開口１０ａを閉塞する板材としての閉塞板１６と、を有している。
【００２８】
ルーフ板１４、シャッター上枠１２、シャッター下枠１３は、一対のシャッター縦枠１１間に配置され、各々のシャッター縦枠１１の外側から互いに対向する内側に向かって進入するビスにより固定されている。このときシャッター上枠１２より上側の空間Ｓ１がシャッター本体２０を収容する空間である、シャッター上枠１２より下側の空間Ｓ２が建具２を囲む空間となる。
【００２９】
一対のシャッター縦枠１１、シャッター上枠１２、シャッター下枠１３およびルーフ板１４は、アルミニウム製の押出成形部材であり、支持部材３０及び閉塞板１６は、アルミニウムよりも融点が高い金属であり不燃性を有する鉄で形成されている。
【００３０】
一対のシャッター縦枠１１、シャッター下枠１３およびルーフ板１４は、いずれも室内側の縁に、シャッター枠１０にて囲まれる空間Ｓ１、Ｓ２と反対側となるシャッター枠１０の外側に突出して躯体５と対面するヒレ部１１ａ、１３ａ、１４ａを有しており、ヒレ部１１ａ、１３ａ、１４ａを見込方向に貫通するビスにより躯体５に固定されている。また、シャッター上枠１２およびルーフ板１４には、それぞれ室内側にシャッター上枠１２の上側の空間Ｓ１側に突出して、ヒレ部１１ａ、１３ａ、１４ａと同一平面を形成する突出片１２ａ、１４ｂが設けられている。
シャッター本体２０を支持する支持部材３０は、図３、図４に示すように左右一対のシャッター縦枠１１の、互いに対面する内面に各々固定されている。
左右のシャッター縦枠１１にそれぞれ設けられる支持部材３０は、左右が反転した対称形状をなしている。
【００３１】
支持部材３０は、シャッター本体２０が固定される本体部材３１と、本体部材３１に取り付けられて当該支持部材３０を固定するための固定部３５ａが設けられた固定部材３５とを有している。
【００３２】
本体部材３１は、シャッター枠１０に当接される支持部としての当接板部３１ａと、当接板部３１ａの上下の縁からそれぞれシャッター枠１０の内側に延出されて水平面を形成する上延出部３１ｂ及び下延出部３ｃと、当接板部３１ａの室内側の縁からシャッター枠１０の内側に向かって延出された室内側延出部３１ｄとを有している。また、上延出部３１ｂの室外側の縁には、上方に延出されてシャッター本体２０のケース２３が有する上固定片２３ｂが当接される上取付部３１ｅが設けられ、下延出部３１ｃの室外側の縁には、下方に延出されてシャッター本体２０のケース２３が有する下固定片２３ｃが当接される下取付部３１ｆが設けられている。
【００３３】
固定部材３５は、室内側延出部３１ｄの左右方向の幅のほぼ中央にて当該室内側延出部３１ｄと対面して固定される対面固定部３５ｂと、対面固定部３５ｂの当接板部３１ａ側の縁から当接板部３１ａ側に向かって延出され固定具としてのビス３７（図５）が貫通される貫通孔３５ｃを備えた固定部３５ａとを有している。固定部３５ａは、固定部材３５が本体部材３１に固定されたときに当接板部３１ａに近づくにつれて室外側に位置するような傾斜を備えている。このため、図５に示すように、固定部３５ａの貫通孔３５ｃに室外側から進入して貫通するビス３７は、室外側から室内側に螺合されるにつれてシャッター枠１１外に向かうように進入する。このため、このビス３７が螺合される躯体５は、固定部３５ａと見込み方向において重なる位置に必ずしも配置されていなくともよい。
【００３４】
本実施形態のシャッター枠１０は、まず、固定部材３５が本体部材３１に取り付けられた左右の支持部材３０を、それぞれ左右のシャッター縦枠１１に固定する。
次に、図６に示すように、支持部材３０が固定された左右のシャッター縦枠１１間にシャッター上枠１２、シャッター下枠１３（図６では省略）、ルーフ板１４をそれぞれ架け渡し、シャッター縦枠１１の外側から内側に進入するビス３８により接合する。このとき、シャッター上枠１２の突出片１２ａの上縁と、ルーフ板１４の突出片１４ｂの下縁とが上下に対向する。また、左右のシャッター縦枠１１、シャッター上枠１２、ルーフ板１４が接合された状態で、左右の支持部材３０の室内側延出部３１ａと、シャッター上枠１２の突出片１２ａと、ルーフ板１４の突出片１４ｂとは、ほぼ同一平面をなしている。
【００３５】
次に、図７に示すように、左右の支持部材３０が有する室内側延出部３１ａと、シャッター上枠１２の突出片１２ａおよびルーフ板１４の突出片１４ｂとにより形成される室内側開口１０ａを閉塞する閉塞板１６を室外側から取り付ける。閉塞板１６は、左右方向において、左右の支持部材３０の室内側延出部３１ａの固定部材３５より内側の部位にてそれぞれ重なる幅を有しており、上下方向において、シャッター上枠１２の突出片１２ａおよびルーフ板１４の突出片１４ｂとそれぞれ重なる幅を有している。閉塞板１６は、支持部材３０の室内側延出部３１ａと重なる部位にてビス３９により固定される。
【００３６】
支持部材３０に固定された閉塞板１６は、図８に示すように、その周端部に、左右の室内側延出部３１ａの縁との境界部分、シャッター上枠１２の突出片１２ａおよびルーフ板１４の突出片１４ｂとの境界部分において、各々両者にまたがるように防水テープ４０が全域に渡って貼り付けられる。このとき、防水テープ４０は、最初にシャッター上枠１２の突出片１２ａとの境界部分に貼り付けられ、次に左右の室内側延出部３１ａとの境界部分に貼り付けられ、最後にルーフ板１４の突出片１４ｂとの境界部分に貼り付けられることが望ましい。
シャッター枠１０は、防水テープ４０まで貼り付けられた状態でユニット化されて、施工現場に搬送される。
【００３７】
施工現場では、建物等の開口に建具２の枠体４が取り付けられた状態で、その外周を囲むように、シャッター枠１０が配置され、左右のシャッター縦枠１１、シャッター下枠１３およびルーフ材１４のヒレ部１１ａ、１３ａ、１４ａがビスにて躯体に固定される。また、支持部材３０の固定部３５ａも貫通孔３５ｃを関するビス３７により躯体５に固定される。
【００３８】
その後、シャッター上枠１２の上側にシャッター本体２０を装着して支持部材３０にビス止めし、サイドキャップ２５、本体カバー２８、左右のガイドレール２７を順次取り付けて施工が完了する。
【００３９】
本実施形態のシャッター１によれば、シャッター本体２０は、アルミニウムよりも融点が高い鉄製の一対の支持部材３０を介して躯体５に固定されているので、シャッター本体２０がアルミニウム製の部材に固定されている場合より高い防火性を備えることが可能である。このとき、支持部材３０が固定されているのは躯体５なので、支持部材３０を介してシャッター本体２０を、より確実に支持することが可能である。
【００４０】
また、支持部材３０は、巻付軸２２の軸方向において中央側の部位が端部側の部位より室内側に位置するように傾斜している固定部３５ａを貫通するビス３７により躯体５に固定されているので、固定部３５ａを躯体５と対面するように設ける場合より見付け幅を小さくしつつもビス３７にて躯体５に固定することが可能である。このため、シャッター１が設けられた開口の有効開口幅をより広く設けることが可能である。
【００４１】
このとき、固定部３５ａはシャッター枠１０の内側に設けられているので、支持部材３０の外側に固定されるシャッター縦枠１１のヒレ部１１ａと固定部３５ａとは干渉しない。このため、躯体５との間に隙間が生じにくいので容易に且つより確実に止水することが可能である。このため、防火性を備えつつも止水性および意匠性に優れたシャッター１を提供することが可能である。
【００４２】
また、支持部材３０は、本体部材３１と固定部３５ａをなす固定部材３５とで構成されているので、各々の部材を簡単な形状としつつも、軸方向において中央側の部位が端部側の部位より室内側に位置するように傾斜している固定部３５ａを設けることが可能である。このため、固定部３５ａが傾斜する支持部材３０を容易に製造することが可能である。
【００４３】
また、一対のシャッター縦枠１１と、ルーフ板１４と、シャッター上枠１２とが接合されて形成された空間Ｓ１の室内側開口１０ａが鉄製の閉塞板１６により閉塞されるので、シャッター本体２０が収容される空間Ｓ１内においても、躯体５等は露出されない。このため、より高い防火性を備えることが可能である。また、鉄製の閉塞板１６は、アルミニウムよりも融点が高い金属でなる一対の支持部材３０に固定されているので、火災等によりアルミニウムが溶けるような場合であっても、シャッター縦枠１１と、ルーフ板１４と、シャッター上枠１２とが接合されて形成された空間Ｓ１の室内側開口１０ａを閉塞しておくことが可能である。
【００４４】
また、シャッター縦枠１１、ルーフ板１４、および、シャッター上枠１２と、閉塞板１６とは、互いの境界部分が防水テープ４０にて止水されているので、高い止水性を備えることが可能である。
【００４５】
また、シャッター縦枠１１、ルーフ板１４、シャッター上枠１２、閉塞板１６、及び、支持部材３０が、ユニット化されているので、シャッター縦枠１１、ルーフ板１４、シャッター上枠１２、閉塞板１６、及び、支持部材３０を例えば工場等にて精度良く組み立てて現場に搬入することが可能である。このため、現場での作業が少なくなり短時間で施工できるとともに、より綺麗に仕上げることが可能である。
【００４６】
上記実施形態においては、支持部材３０を本体部材３１と固定部材３５との２つの部材により構成されている例について説明したが、たとえば、図９に示すように、シャッター本体２０が固定され見込み方向に沿う板状部を有する支持部３２ａと、支持部３２ａの室内側の縁から軸方向において巻付軸２２の中央側に延出された室内側延出部３２ｂと、を有し、支持部３２ａと室内側延出部３２ｂとの間を繋ぐ部位が、軸方向において巻付軸２２の中央側の部位が端部側の部位より室内側に位置するように傾斜して固定部３２ｃをなしていても構わない。この場合には、支持部材３２に、支持部３２ａと室内側延出部３２ｂとが繋がった固定部３２ｃが傾斜をなすように一体に設けられているので、部品点数及び取り付け工数を抑えることが可能である。
【００４７】
上記実施形態においては、支持部材３０、３２をなすアルミニウムよりも融点が高い金属を鉄としたがこれに限るものではない。また、不燃性または難燃性の閉塞板を鉄製としたが、ステンレス等の不燃性である金属等は、もちろんのこと、火災によりまず表面が炭化し、炭化した表面の断熱効果により内部に燃え進むことを遅らせる、例えば、ＭＤＦ・木材等のような難燃性の材料にて閉塞板を構成しても構わない。
【００４８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４９】
１  シャッター、５  躯体、１０  シャッター枠、１０ａ  室内側開口、
１１  シャッター縦枠、１２  シャッター上枠、１４  ルーフ板、１６  閉塞板、
２０  シャッター本体、２１  シャッターカーテン、２２  巻付軸、３０  支持部材、
３１  本体部材、３１ａ  支持部、３１ｄ  室内側延出部材、３２  支持部材、
３２ａ  支持部、３２ｂ室内側延出部、３２ｃ  固定部、３５  固定部材、
３５ａ  固定部、３７  ビス、４０  防水テープ
【図１】
2015190141.tif 000003
【図２】
2015190141.tif 000004
【図３】
2015190141.tif 000005
【図４】
2015190141.tif 000006
【図５】
2015190141.tif 000007
【図６】
2015190141.tif 000008
【図７】
2015190141.tif 000009
【図８】
2015190141.tif 000010
【図９】
2015190141.tif 000011